(57)【要約】【課題】撮像手段で撮像された画像と印刷データからなる合成画像を印刷出力し又は保存することができる画像処理装置及び画像処理システムを提供する。【解決手段】印刷データを受け取り印刷データを印刷する印刷手段を備えた画像処理装置本体と、操作者を撮像する撮像手段と、を含み、管理情報が付与された原稿又は印刷データの処理を受け付けた場合、撮像手段で撮像された操作者の画像と原稿の画像データ又は印刷データを合成して印刷する。【選択図】図５
2016116061.tif 000002
【特許請求の範囲】
【請求項１】
印刷データを受け取り前記印刷データを印刷する印刷手段を備えた画像処理装置本体と、
操作者を撮像する撮像手段と、を含み、
前記撮像手段で撮像された前記操作者の画像と前記印刷データを合成して前記印刷手段で印刷する、
ことを特徴とする画像処理装置。
【請求項２】
原稿を読取る読取手段と、
操作者を撮像する撮像手段と、を含み、
前記読取手段で読み取った前記原稿の画像データに前記撮像手段で撮像された前記操作者の画像を合成する、
ことを特徴とする画像処理装置。
【請求項３】
管理情報が付与された原稿又は印刷データの処理を受け付けた場合、前記撮像手段で撮像された前記操作者の画像と前記読取手段で読み取られた原稿の画像データ又は前記印刷データを合成する、
ことを特徴とする請求項１又は２に記載の画像処理装置。
【請求項４】
前記撮像手段で撮像された前記操作者の画像は、前記原稿の画像データ又は前記印刷データの印字領域外に合成する、
ことを特徴とする請求項１ないし３のいずれか１項に記載の画像処理装置。
【請求項５】
前記合成画像データに含まれる前記操作者の画像、前記原稿の画像データ又は前記印刷データは出力可能なサイズに合わせて縮小する、
ことを特徴とする請求項１ないし３のいずれか１項に記載の画像処理装置。
【請求項６】
撮像された前記操作者の画像は、透かし画像として、前記原稿の画像データ又は前記印刷データに重ね合わせて合成する、
ことを特徴とする請求項１ないし３のいずれか１項に記載の画像処理装置。
【請求項７】
生成された前記合成画像データを表示する表示手段を更に備えた、
ことを特徴とする請求項１ないし６のいずれか１項に記載の画像処理装置。
【請求項８】
操作者の画像を撮像する撮像手段、前記撮像手段で撮像された前記画像と印刷データを合成して印刷ジョブを生成する印刷ジョブ生成手段、前記印刷ジョブ生成手段で生成した前記印刷ジョブを画像処理装置に送信する送信手段、を含む印刷指示装置と、
前記送信手段により送信された前記印刷ジョブを受信する受信手段、前記受信手段で受信した前記印刷ジョブを実行する印刷実行手段、を含む画像処理装置と、を備えた、
ことを特徴とする画像処理システム。
【請求項９】
操作者の画像を撮像する撮像手段、印刷データから印刷ジョブを生成する印刷ジョブ生成手段、前記撮像手段で撮像された前記画像及び前記印刷ジョブ生成手段で生成した前記印刷ジョブを画像処理装置に送信する送信手段、を含む印刷指示装置と、
前記送信手段により送信された前記画像及び前記印刷ジョブを受信する受信手段、前記受信手段により受信された前記画像と前記印刷ジョブに含まれる前記印刷データを合成して合成画像データを生成する画像合成手段、前記画像合成手段で生成した前記合成画像データを含む印刷ジョブを実行する印刷実行手段、を含む画像処理装置と、を備えた、
ことを特徴とする画像処理システム。
【請求項１０】
コンピュータに、
原稿を読取る読取機能と、
印刷出力を行う印刷機能と、
操作者を撮像する撮像機能と、
撮像された画像と読み取られた原稿データを合成して印刷し、又は転送する出力機能と、を実現する、
ことを特徴とするプログラム。
【発明の詳細な説明】
【技術分野】
【０００１】
本発明は、画像処理装置、画像処理システム及びプログラムに関する。
【背景技術】
【０００２】
アクセス権が管理されている電子文書の印刷を行なうユーザおよび電子文書の属性に基づき、印刷許否および印刷要件を規定したセキュリティポリシーを検索して印刷要件を取得し、取得した印刷要件を印刷処理時に適用するように制御する印刷要件適用制御部と、取得した印刷要件に合致せずエラーが発生したとき、より詳細な情報の記録、装置管理者への通知、あるいは改竄の可能性による証拠保全などに資する所定のエラー対応処理を行なうエラー対応処理部と、を備えた画像形成装置が知られている（特許文献１）。
【先行技術文献】
【特許文献】
【０００３】
【特許文献１】特開２００９−１９９３９０号公報
【発明の概要】
【発明が解決しようとする課題】
【０００４】
従来は、操作者の顔を含む画像と印刷データを合成して印刷出力し、又は合成画像データとして保存することができなかった。
本発明は、撮像手段で撮影された画像と印刷データからなる合成画像を印刷出力し、又は保存することができる画像処理装置及び画像処理システムを提供することを目的とする。
【課題を解決するための手段】
【０００５】
前記課題を解決するために、請求項１に記載の画像処理装置は、
印刷データを受け取り前記印刷データを印刷する印刷手段を備えた画像処理装置本体と、
操作者を撮像する撮像手段と、を含み、
前記撮像手段で撮像された前記操作者の画像と前記印刷データを合成して前記印刷手段で印刷する、
ことを特徴とする。
【０００６】
前記課題を解決するために、請求項２に記載の画像処理装置は、
原稿を読取る読取手段と、
操作者を撮像する撮像手段と、を含み、
前記読取手段で読み取った前記原稿の画像データに前記撮像手段で撮像された前記操作者の画像を合成する、
ことを特徴とする。
【０００７】
請求項３記載の発明は、請求項１又は２に記載の画像処理装置において、
管理情報が付与された原稿又は印刷データの処理を受け付けた場合、前記撮像手段で撮像された前記操作者の画像と前記読取手段で読み取られた原稿の画像データ又は前記印刷データを合成する、
ことを特徴とする。
【０００８】
請求項４記載の発明は、請求項１ないし３のいずれか１項に記載の画像処理装置において、
前記撮像手段で撮像された前記操作者の画像は、前記原稿の画像データ又は前記印刷データの印字領域外に合成する、
ことを特徴とする。
【０００９】
請求項５記載の発明は、請求項１ないし３のいずれか１項に記載の画像処理装置において、
前記合成画像データに含まれる前記操作者の画像、前記原稿の画像データ又は前記印刷データは出力可能なサイズに合わせて縮小する、
ことを特徴とする。
【００１０】
請求項６記載の発明は、請求項１ないし３のいずれか１項に記載の画像処理装置において、
撮像された前記操作者の画像は、透かし画像として、前記原稿の画像データ又は前記印刷データに重ね合わせて合成する、
ことを特徴とする。
【００１１】
請求項７記載の発明は、請求項１ないし６のいずれか１項に記載の画像処理装置において、
生成された前記合成画像データを表示する表示手段を更に備えた、
ことを特徴とする。
【００１２】
前記課題を解決するために、請求項８に記載の画像処理システムは、
操作者の画像を撮像する撮像手段、前記撮像手段で撮像された前記画像と印刷データを合成して印刷ジョブを生成する印刷ジョブ生成手段、前記印刷ジョブ生成手段で生成した前記印刷ジョブを画像処理装置に送信する送信手段、を含む印刷指示装置と、
前記送信手段により送信された前記印刷ジョブを受信する受信手段、前記受信手段で受信した前記印刷ジョブを実行する印刷実行手段、を含む画像処理装置と、を備えた、
ことを特徴とする。
【００１３】
前記課題を解決するために、請求項９に記載の画像処理システムは、
操作者の画像を撮像する撮像手段、印刷データから印刷ジョブを生成する印刷ジョブ生成手段、前記撮像手段で撮像された前記画像及び前記印刷ジョブ生成手段で生成した前記印刷ジョブを画像処理装置に送信する送信手段、を含む印刷指示装置と、
前記送信手段により送信された前記画像及び前記印刷ジョブを受信する受信手段、前記受信手段により受信された前記画像と前記印刷ジョブに含まれる前記印刷データを合成して合成画像データを生成する画像合成手段、前記画像合成手段で生成した前記合成画像データを含む印刷ジョブを実行する印刷実行手段、を含む画像処理装置と、を備えた、
ことを特徴とする。
【００１４】
前記課題を解決するために、請求項１０に記載のプログラムは、
コンピュータに、
原稿を読取る読取機能と、
印刷出力を行う印刷機能と、
操作者を撮像する撮像機能と、
撮像された画像と読み取られた原稿データを合成して印刷し、又は転送する出力機能と、を実現する、
ことを特徴とする。
【発明の効果】
【００１５】
請求項１及び１０に記載の発明によれば、撮像手段で撮影された画像と印刷データを合成して合成画像データを生成する構成を有しない場合に比して、印刷された印刷データから複合機を使用する操作者を特定することができる合成画像を出力することができる。
請求項２に記載の発明によれば、撮像手段で撮影された画像とスキャンされた画像データを合成して合成画像データを生成する構成を有しない場合に比して、スキャンされた原稿データから複合機を使用する操作者を特定することができる合成画像を出力することができる。
請求項３に記載の発明によれば、予め複製管理情報が付与された原稿の画像を読み取って複製管理情報を検出する構成を有しない場合に比して、複製管理がなされている原稿の不正な複製処理を抑制することができる。
請求項４に記載の発明によれば、印刷データ又は原稿データの元の画像領域を保持しながら合成画像を出力することができる。
請求項５に記載の発明によれば、印刷データ又は原稿データが記録される記録媒体を変更することなく合成画像を出力することができる。
請求項６に記載の発明によれば、印刷データ又は原稿データに合成画像を透かし画像として重畳することができる。
請求項７に記載の発明によれば、合成画像データを表示する構成を有しない場合に比して、操作者が印刷出力を行う前に事前に合成画像を確認することができる。
請求項８及び９に記載の発明によれば、印刷指示装置が操作者の顔を含む画像を撮影する構成を有しない場合に比して、撮像手段で撮影された操作者の顔を含む画像を印刷データに付加して印刷出力することができる。
【図面の簡単な説明】
【００１６】
【図１】画像処理装置１の外観全体を示す概略構成図である。
【図２】人検知装置１００を含む画像処理装置１のハードウェア構成を示すブロック図である。
【図３】変形例の人検知装置１００を備えた画像処理装置１のハードウェア構成を示すブロック図である。
【図４】変形例の人検知装置１００の撮像範囲を示す模式図である。
【図５】画像処理装置１の動作の流れを示すフローチャートである。
【図６】画像処理装置１により印刷される画像の用紙に対する画像形成領域と合成画像の配置例を示した図である。
【図７】画像処理装置１Ａのハードウェア構成を示すブロック図である。
【図８】図７は画像処理装置１Ａの動作の流れを示すフローチャートである。
【図９】画像処理システム２００のハードウェア構成例を示すブロック図である。
【図１０】画像処理システム２００の動作の流れを示すフローチャートである。
【図１１】画像処理システム３００のハードウェア構成例を示すブロック図である。
【図１２】画像処理システム３００の動作の流れを示すフローチャートである。
【発明を実施するための形態】
【００１７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１８】
「第１実施形態」
（１）画像処理装置の全体構成
図１は本実施形態に係る画像処理装置１の外観全体を示す概略構成図、図２は人検知装置１００を含む画像処理装置１のハードウェア構成を示すブロック図である。
以下、図面を参照しながら、画像処理装置１の全体構成を説明する。
【００１９】
画像処理装置１は、図１（ａ）に示すように、原稿から画像を読み取って画像データに変換する読取手段としての読取部２、読み取った画像データを記録媒体としての用紙に印刷する印刷手段としての画像形成部３、ユーザーインターフェイスとしての操作情報部４、画像処理装置１全体の動作を制御する制御装置１０（図２に図示）を備えて構成されている。
【００２０】
画像処理装置１は、処理機能として、画像を光学的に走査して画像データを得る読取機能（スキャン機能）、読取機能により得られた画像データに所定の処理を施して記録媒体に画像として記録する複写機能（コピー機能）、通信回線等を介して取得した画像データに対して色変換や変倍等の画像処理を施して記録媒体に画像を形成する画像形成機能（プリント機能）等の複数の機能を備えている。
【００２１】
読取部２は、自動原稿送り部２１と、画像読取部２２とを備えて構成されている。自動原稿送り部２１は、原稿載置台２１１に置かれた原稿を画像読取部２２の読取位置に搬送し、画像読取部２２でＣＣＤ（Charge Coupled Device）ラインセンサ等のイメージセンサ（不図示）で読み取られた画像は電気信号である画像データに変換される。
【００２２】
画像形成部３は、例えば、電子写真方式により、入力された画像データに基づく画像を紙等の記録媒体上に形成する。
【００２３】
読取部２の前面側には、ユーザーインターフェイスとしての操作情報部４が配置されている。操作情報部４は、液晶表示パネル、各種操作ボタン、タッチパネル等を組み合わせて構成され、画像処理装置１の操作者は、操作情報部４を介して各種の設定や指示の入力を行う。また、液晶表示パネルを介して画像処理装置１の操作者へ各種情報を表示する。
【００２４】
操作情報部４の側方側には、操作者の認証を行う認証部５が配置されている。認証部５は、例えば、操作者がかざしたＩＣカードの識別情報を受け付けて、予め登録された使用者情報が保管されている外部認証サーバへ受け付けた識別情報を送信し、外部認証サーバから送信されてくる使用者情報を受信することで使用者の認証を行う。
【００２５】
読取装置支持部６には、撮像手段の一例としての人検知装置１００（図２参照）が装着されている。人検知装置１００は、移動体の一例としての人を検知し、人検知カメラ１２０で撮像された画像データを制御装置１０へ送信する。
【００２６】
制御装置１０は、図２に示すように、画像処理装置１の動作を制御する画像処理装置制御部１１、印刷処理要求に応じた画像データを準備するコントローラ部１２、操作者の識別情報を受け付けて使用者の認証を行う識別情報取得部１３、人検知カメラ１２０で撮像された画像データを取得する画像取得部１４、画像データと画像読取部２２で読み取られた原稿データを合成して合成画像データを生成する画像合成部１５、合成画像データを記録装置２０に転送する画像転送部１６、ユーザーインターフェイス（以下ＵＩと記す）制御部１７、を備えている。属性情報としては、処理対象である文書データとしての原稿に割り振られている通し番号、スキャンやコピー等の操作者から指示される処理を受け付けた時間等が挙げられる。
【００２７】
（２）人検知装置の構成と動作
人検知装置１００は、人検知カメラ１２０、揮発性メモリからなる画像蓄積部１３０、送信部１４０、制御部１５０を備えている。
尚、画像蓄積部１３０、送信部１４０、制御部１５０は、マイクロプロセッサ、メモリ等とともに半導体チップ上に集積したＳｏＣ（System on a Chip）として、画像処理装置１の動作を制御する画像処理装置制御部１１と独立して設けることができる。
【００２８】
人検知カメラ１２０は、撮像部１２１と、映像出力部１２２とを備えている。撮像部１２１は、更に、画像センサ１２１ａ（不図示）と、光学像を画像センサ１２１ａの受光エリアに形成する光学レンズ１２１ｂ（不図示）と、画像センサ１２１ａに入射する光量を検知する光量検知手段としての光量センサ１２１ｃ（不図示）と、を備えている。また、撮像部１２１は、これ以外に必要な回路等も含んでいる。
尚、画像センサ１２１ａとしては、画像処理装置１が設置された空間の定められた領域において、人の顔領域あるいは移動する人の全身領域の有無、形状（輪郭）等を検出するものであり、例えば、イメージセンサ（ＣＣＤイメージセンサやＣＭＯＳイメージセンサ）が適用可能である。
【００２９】
映像出力部１２２は、撮像部１２１によって撮像した映像を画像蓄積部１３０に出力する。具体的には、映像出力部１２２は、画像センサ１２１ａから出力された撮像データに対して、デジタル変換、ノイズ除去といった処理を施し、得られたデジタルデータを画像蓄積部１３０に出力する。
【００３０】
また、人検知カメラ１２０は、制御部１５０からの指示に応じて撮像部１２１の撮像方向を変化させる撮像方向可変機構１２３（不図示）を備えている。具体的には、撮像方向可変機構１２３は、一般的な監視カメラに組み込まれる、ターンテーブル、チルト機構等であり、撮像部１２１の撮像方向を変化させて、画像を多方向から撮像して撮像される人の特徴を詳細に記録することができる。
【００３１】
また、人検知装置１００としては、同一構成の人検知カメラ１２０を複数備えた構成であってもよい。そして、それぞれの人検知カメラ１２０で画像を多方向から撮像して撮像される人の特徴を詳細に記録することができる。
【００３２】
「変形例」
図１（ｂ）は変形例の人検知装置１００を備えた画像処理装置１の外観全体を示す概略構成図、図３は変形例の人検知装置１００を備えた画像処理装置１のハードウェア構成を示すブロック図、図４は変形例の人検知装置１００の撮像範囲を示す模式図である。
人検知装置１００としては、図１（ｂ）に示すように、操作情報部４に、他の人検知カメラとして顔認識カメラ１２０Ａを設けて複数の人検知カメラを備えた構成としてもよい。顔認識カメラ１２０Ａは、画像処理装置１の周囲において、移動体（人）の有無、形状（輪郭）を検出するものであり、例えば、イメージセンサ（ＣＣＤイメージセンサやＣＭＯＳイメージセンサ）が適用可能である。
そのために、操作情報部４を介して画像処理装置１の操作を行う操作者の顔認証に適したフィルタ構成（主として、顔の輪郭、目、鼻、口等が明確に検出されるようなフィルタ構成）とすることができる。
【００３３】
顔認識カメラ１２０Ａとしては、赤外線カメラや、画像処理装置１の本体の一部に光源を備え、光源からのフラッシュ光で撮像するフラッシュ撮像機能を備えたカメラであっても良い。
【００３４】
人検知カメラ１２０と顔認識カメラ１２０Ａにより、操作者の撮像範囲として２つの領域（図４の撮像範囲Ａ１と撮像範囲Ａ２）を設定して、それぞれの人検知カメラ１２０と顔認識カメラ１２０Ａで画像を多方向から撮像して撮像される人の特徴をより詳細に記録することができる。
相対的に遠い検出領域である図４の撮像範囲Ａ１は、人検知カメラ１２０による相対的に画像処理装置１から離れた領域の操作者を撮像する撮像領域である。
また、相対的に近い撮像領域である図４の撮像範囲Ａ２は、顔認識カメラ１２０Ａによる相対的に近接の操作者を撮像する撮像領域、具体的には、画像処理装置１の操作情報部４の操作が可能な範囲であり、目安として０〜２ｍ程度である。
【００３５】
（３）操作者の顔画像と原稿データの合成出力
図５は画像処理装置１の動作の流れを示すフローチャートである。
以下、本実施形態に係る画像処理装置１の動作制御について、さらに具体的に説明する。
【００３６】
従来、スキャン機能、コピー機能、プリント機能等を備えた画像処理装置の一例としての複合機を操作者が使用する場合には、予め識別情報が記録されたＩＣカード等を用いて操作者の特定が行われていた。
一方、成りすまし又は誤って、ＩＣカードの正規の持ち主以外の操作者が、そのＩＣカードを用いて複合機を操作又は処理指示を行った場合には、その操作者の特定を行うことができなかった。
【００３７】
本実施形態に係る画像処理装置１は、認証部５で操作者の認証がなされ、操作情報部４が操作者の処理を受け付けた場合、撮像手段としての人検知カメラ１２０によって撮像された操作者の顔を含む画像を処理対象の文書データと合成して出力する。
具体的には、原稿をコピー又はスキャン操作した操作者の顔画像データを画像読取部２２で読み取られた原稿データと合成して印刷出力し、またはスキャンデータとして予め指定された保存先へ転送する。
【００３８】
（３．１）人検知装置１００の動作
認証部５が、操作者がかざしたＩＣカードの識別情報を受け付ける（Ｓ１０１）と、予め登録された使用者情報が保管されている外部認証サーバへ受け付けた識別情報を送信し、外部認証サーバから送信されてくる使用者情報を受信することで使用者の認証を行う（Ｓ１０２）。
【００３９】
認証部５が受け付けた識別情報が予め登録された使用者情報のひとつと一致する場合（Ｓ１０２：Ｙｅｓ）、操作情報部４が操作者の指示を受け付ける（Ｓ１０３）。具体的には、操作者が操作情報部４を介して、スタートボタンを押下して、画像処理装置１が、指示に対応した動作を開始する。
そして、画像処理装置制御部１１は、制御部１５０を介して、人検知カメラ１２０へ撮像開始を指示する（Ｓ１０４）。
【００４０】
そして、映像出力部１２２は、撮像部１２１によって撮像した操作者の顔を含む画像を画像蓄積部１３０に一時的に記憶する（Ｓ１０５）。具体的には、映像出力部１２２は、画像センサ１２１ａから出力された撮像データに対して、デジタル変換、ノイズ除去といった処理を施し、得られたデジタルデータを揮発メモリからなる画像蓄積部１３０に一時的に記録する。
【００４１】
そして、画像取得部１４は、画像蓄積部１３０に一時的に記憶された画像データを送信部１４０を介して取得して、画像合成部１５は画像読取部２２で読み取られた原稿データと合成して合成画像データを生成する（Ｓ１０６）。生成された合成画像データは、コントローラ部１２を介して処理要求に応じた画像データとして準備され出力される（Ｓ１０７）。
処理要求がコピーの場合には、印刷出力され、スキャンの場合には尚、スキャンデータとして予め設定された保存先へ転送される。
【００４２】
「変形例」
人検知カメラ１２０が常にＯＮとなっている状態では、操作情報部４が操作者の指示を受け付けた（Ｓ１０３）場合、画像取得部１４は、画像蓄積部１３０に一時的に記憶された画像データの中から、操作情報部４が操作者の指示を受け付けた以降の操作者の顔を含む画像データを送信部１４０を介して取得して、画像合成部１５は画像読取部２２で読み取られた原稿データと合成して合成画像データを生成しても良い（Ｓ１０６）。
【００４３】
本実施形態に係る画像処理装置１は、認証部５で操作者の認証がなされ、操作情報部４が操作者の指示を受け付けた場合、人検知カメラ１２０によって撮像された操作者の顔を含む画像を原稿データと合成して印刷出力し、またはスキャンデータとして保存先へ転送する。
その結果、印刷またはスキャンされた原稿データから複合機を使用する操作者を特定することができる。
【００４４】
（３．２）合成画像の生成
図６は、画像処理装置１により印刷される画像の用紙に対する画像形成領域と合成画像の配置例を示した図である。図６（ａ）に示す用紙では、用紙Ｐの四方に一定幅（例えば、２ｍｍ）で必要余白領域が存在しており、必要な余白としてその領域には印刷されず、用紙内で必要余白領域を除く画像の形成が可能な領域（画像形成領域）に画像が印刷されている。
【００４５】
人検知カメラ１２０で撮像された操作者の画像データは、画像合成部１５で原稿の画像データ又は印刷データと合成される際に、画像形成領域の原稿画像データ又は印刷データが存在しない位置に配置される（図６（ｂ）参照）。具体的には、操作者の画像データの原稿画像データ又は印刷データに対して形成される位置の情報及び用紙に対して形成される位置の情報が画像合成部１５で決定され、コントローラ部１２で印刷濃度を調整して印刷出力され、スキャンの場合にはスキャンデータとして予め設定された保存先へ転送される。
【００４６】
また、画像合成部１５は、操作者の画像データが画像形成領域に収まらないと判定した場合、合成画像データに含まれる操作者の画像データを縮小して合成画像データが画像形成領域内に収まるように調整する。また、原稿の画像データ又は印刷データを出力可能なサイズに合わせて縮小して合成画像データが画像形成領域内に収まるように調整してもよい。そして、コントローラ部１２で印刷濃度を調整して印刷出力され、スキャンの場合にはスキャンデータとして予め設定された保存先へ転送される（図６（ｃ）参照）。
【００４７】
「変形例」
人検知カメラ１２０で撮像された操作者の画像データは、画像合成部１５で原稿の画像データ又は印刷データと合成される際に、電子透かし化処理を行っても良い。画像データに対する電子透かし化処理には様々な公知の手法が適用され得る。
例えば、電子透かしの手法としては、画像データの標本値に情報を埋め込む手法と、画像データの周波数成分に情報を埋め込む手法とが知られている（図６（ｄ）参照）。
【００４８】
（３．３）出力画像の表示
本実施形態に係る画像処理装置１は、認証部５で操作者の認証がなされ、操作情報部４が操作者の処理を受け付けたときに、人検知カメラ１２０で撮像された顔を含む画像と画像読取部２２で読み取られた原稿データとが合成された合成画像データを操作情報部４に表示する。
その結果、印刷出力し、又は保存先へ転送する前に合成された合成画像を予め確認することができる。
【００４９】
「第２実施形態」
図７は画像処理装置１Ａのハードウェア構成を示すブロック図、図８は画像処理装置１Ａの動作の流れを示すフローチャートである。尚、第１実施形態に係る画像処理装置１と共通の構成要素には、同一の符号を付し、その詳細な説明は省略する。
【００５０】
本実施形態に係る画像処理装置１Ａは、予め複製管理情報が付与された原稿の画像を読み取って複製管理情報を検出する検出手段としての情報検出部３０を更に備え、操作情報部４が操作者の処理を受け付けたときに、情報検出部３０によって複製管理情報が検出された場合、人検知カメラ１２０が撮像した操作者の顔を含む画像を処理対象の文書データと合成して出力する。
【００５１】
認証部５が、操作者がかざしたＩＣカードの識別情報を受け付ける（Ｓ２０１）と、予め登録された使用者情報が保管されている外部認証サーバへ受け付けた識別情報を送信し、外部認証サーバから送信されてくる使用者情報を受信することで使用者の認証を行う（Ｓ２０２）。
【００５２】
認証部５が受け付けた識別情報が予め登録された使用者情報のひとつと一致する場合（Ｓ２０２：Ｙｅｓ）、操作情報部４が操作者の指示を受け付ける（Ｓ２０３）。具体的には、操作者が操作情報部４を介して、スタートボタンを押下して、画像処理装置１が、指示に対応した処理を開始する。
そして、情報検出部３０が複製管理情報の一例として、原稿に埋め込まれた電子透かし情報を検出した場合（Ｓ２０４：Ｙｅｓ）、画像処理装置制御部１１は、制御部１５０を介して、人検知カメラ１２０へ撮像開始を指示する（Ｓ２０５）。
そして、映像出力部１２２は、撮像部１２１によって撮像した操作者の顔を含む画像にデジタル変換、ノイズ除去といった処理を施し、デジタルデータとして画像蓄積部１３０に一時的に記憶する（Ｓ２０６）。
【００５３】
次に、画像取得部１４は、画像蓄積部１３０に一時的に記憶された画像データを送信部１４０を介して取得して、画像合成部１５は画像読取部２２で読み取られた原稿データと合成して合成画像データを生成する（Ｓ２０７）。生成された合成画像データは、コントローラ部１２を介して処理要求に応じた画像データとして準備され出力される（Ｓ２０８）。
処理要求がコピーの場合には、印刷出力され、スキャンの場合には尚、スキャンデータとして予め設定された保存先へ転送される。
【００５４】
「変形例」
人検知カメラ１２０が常にＯＮとなっている状態では、原稿に埋め込まれた電子透かし情報を検出した場合（Ｓ２０４：Ｙｅｓ）、画像取得部１４は、画像蓄積部１３０に一時的に記憶された画像の中から、操作情報部４が操作者の指示を受け付けた以降の操作者の顔を含む画像を送信部１４０を介して取得して、画像合成部１５は画像読取部２２で読み取られた原稿データと合成して合成画像データを生成しても良い（Ｓ２０７）。
【００５５】
その結果、デジタルウォーターマーク等の電子透かし情報が付与された原稿に複写、スキャン等の操作が行われたときに、複製管理がなされている原稿の不正な複製処理を抑制することができる。
【００５６】
「第３実施形態」
図９は画像処理システム２００のハードウェア構成例を示すブロック図、図１０は画像処理システム２００の動作の流れを示すフローチャートである。尚、第１実施形態に係る画像処理装置１と共通の構成要素には、同一の符号を付し、その詳細な説明は省略する。
【００５７】
本実施形態の画像処理システム２００は、印刷指示装置としてのクライアント装置２００Ａと、画像処理装置１Ｂとを備えて構成されている。
【００５８】
クライアント装置２００Ａは、ＣＰＵ２０１、ＲＯＭ２０２、印刷ジョブ生成手段としての印刷制御部２０３、送信手段としての通信部２０４、記憶部２０５、操作部２０６、表示部２０７及び操作者の画像を撮像する撮像手段の一例としての人検知装置１００を備えている。尚、人検知装置１００は、クライアント装置２００Ａと分離して、例えば、画像処理システム２００が設置されたオフィス空間内に配置されてもよい。
【００５９】
人検知装置１００は、人検知カメラ１２０、揮発性メモリからなる画像蓄積部１３０、送信部１４０、制御部１５０を備えている。
人検知カメラ１２０は、撮像部１２１と、映像出力部１２２とを備えている。映像出力部１２２は、撮像部１２１によって撮像した画像に対して、デジタル変換、ノイズ除去といった処理を施し、得られたデジタルデータを画像蓄積部１３０に出力する。
【００６０】
ＣＰＵ２０１は、ＲＯＭ２０２に記憶されたプログラムを実行することにより、クライアント装置２００Ａの各部を制御する。印刷制御部２０３は、人検知カメラ１２０で撮像された操作者の顔を含む画像データと印刷データを合成して印刷ジョブを生成する。
通信部２０４は、通信回線に接続される通信インターフェースであり、印刷制御部２０３で生成した印刷ジョブを画像処理装置１Ｂに送信する。
【００６１】
記憶部２０５は、ハードディスクなどの記憶装置であり、ホストサーバ等から送信されてきた印刷データが一時的に格納され、プリンタドライバが記憶されている。プリンタドライバは、画像処理装置１Ｂを制御する機能を有するプログラムであり、操作者の識別情報が設定されている。操作部２０６は、例えばキーボードとマウスで構成され、表示部２０７は、操作者の顔を含む画像データが合成された印刷データに応じた画像を表示する。
【００６２】
画像処理装置１Ｂは、原稿から画像を読み取って画像データに変換する読取部２、読み取った画像データを記録媒体としての用紙に印刷する画像形成部３、ユーザーインターフェイスとしての操作情報部４、制御装置１０を備えて構成される、例えば電子写真方式の複合機である（図１参照）。
【００６３】
クライアント装置２００Ａは、操作者の識別情報を受け付ける（Ｓ３０１）と使用者の認証を行う（Ｓ３０２）。操作者の識別情報が予め設定された使用者情報と一致する場合（Ｓ３０２：Ｙｅｓ）、印刷制御部２０３は操作者の印刷指示を受け付け（Ｓ３０３）、人検知カメラ１２０へ撮像開始を指示する（Ｓ３０４）。
そして、映像出力部１２２は、撮像部１２１によって撮像した操作者の顔を含む画像をデジタル変換、ノイズ除去といった処理を施し、得られたデジタルデータを画像蓄積部１３０に一時的に記憶する（Ｓ３０５）。
【００６４】
そして、印刷制御部２０３は、画像蓄積部１３０に一時的に記憶された画像を送信部１４０を介して取得して、印刷データと合成して印刷ジョブデータを生成する（Ｓ３０６）。
【００６５】
そして、通信部２０４は、印刷制御部２０３で生成した印刷ジョブを画像処理装置１Ｂに送信する（Ｓ３０７）。画像処理装置１Ｂは、受信した印刷ジョブをコントローラ部１２で印刷処理要求に応じた画像データに変換して記録媒体としての用紙に印刷する（Ｓ３０８）。
その結果、印刷された文書データから文書を印刷した操作者を特定することができる。
【００６６】
「第４実施形態」
図１１は画像処理システム３００のハードウェア構成例を示すブロック図、図１２は画像処理システム３００の動作の流れを示すフローチャートである。尚、第１実施形態に係る画像処理装置１及び第３実施形態に係る画像処理システム２００と共通の構成要素には、同一の符号を付し、その詳細な説明は省略する。
【００６７】
本実施形態の画像処理システム３００は、印刷指示装置としてのクライアント装置３００Ａと、画像処理装置１Ｃとを備えて構成されている。
【００６８】
クライアント装置３００Ａは、ＣＰＵ３０１、ＲＯＭ３０２、印刷ジョブ生成手段としての印刷制御部３０３、送信手段としての通信部３０４、記憶部３０５、操作部３０６、表示部３０７及び操作者の画像を撮影する撮像手段の一例としての人検知装置１００を備えている。尚、人検知装置１００は、クライアント装置３００Ａと分離して、例えば、画像処理システム３００が設置されたオフィス空間内に配置されてもよい。
【００６９】
画像処理装置１Ｃは、原稿から画像を読み取って画像データに変換する読取部２、読み取った画像データを記録媒体としての用紙に印刷する画像形成部３、ユーザーインターフェイスとしての操作情報部４、制御装置１０Ｃを備えて構成される、例えば電子写真方式の複合機である（図１参照）。
【００７０】
制御装置１０Ｃは、画像処理装置制御部１１、コントローラ部１２、画像合成部１６Ｃ、を備えている。
画像合成部１６Ｃは、クライアント装置３００Ａから受信した操作者の顔を含む画像を印刷ジョブに含まれる印刷データに合成して合成画像データを生成する。
【００７１】
クライアント装置３００Ａは、操作者の識別情報を受け付ける（Ｓ４０１）と使用者の認証を行う（Ｓ４０２）。操作者の識別情報が予め設定された使用者情報と一致する場合（Ｓ４０２：Ｙｅｓ）、印刷制御部３０３は操作者の印刷指示を受け付け（Ｓ４０３）、人検知カメラ１２０へ撮像開始を指示する（Ｓ４０４）。
そして、映像出力部１２２は、撮像部１２１によって撮像した操作者の顔を含む画像をデジタル変換、ノイズ除去といった処理を施し、得られたデジタルデータを画像蓄積部１３０に一時的に記憶する（Ｓ４０５）。
【００７２】
そして、印刷制御部３０３は、画像蓄積部１３０に一時的に記憶された画像データを送信部１４０を介して取得して（Ｓ４０６）、印刷ジョブを生成する（Ｓ４０７）。
【００７３】
そして、通信部３０４は、印刷制御部３０３で取得した画像データと印刷ジョブを画像処理装置１Ｃに送信する（Ｓ４０８）。画像合成部１６Ｃは、受信した画像データと印刷ジョブに含まれる印刷データを合成して合成画像データを生成する（Ｓ４０９）。
そして、合成画像データを含む印刷ジョブをコントローラ部１２で印刷処理要求に応じた画像データに変換して記録媒体としての用紙に印刷する（Ｓ４１０）。
その結果、印刷された文書データから文書を印刷した操作者を特定することができる。
【符号の説明】
【００７４】
１、１Ａ、１Ｂ、１Ｃ・・・画像処理装置
２・・・読取部
３・・・画像形成部
４・・・操作情報部
５・・・認証部
６・・・読取装置支持部
１０・・・制御装置
１１・・・画像処理装置制御部
１２・・・コントローラ部
１３・・・識別情報取得部
１４・・・画像取得部
１５、１５Ｃ・・・画像合成部
１６・・・画像転送部
１７・・・ＵＩ制御部 
２０・・・記録装置
３０・・・情報検出部
１００・・・人検知装置
１２０・・・人検知カメラ
１２１・・・撮像部 
１２２・・・映像出力部
１３０・・・画像蓄積部 
１４０・・・送信部 
１５０・・・制御部
２００、３００・・・画像処理システム
２００Ａ、３００Ａ・・・クライアント装置
２０３、３０３・・・印刷制御部
【図１】
2016116061.tif 000003
【図２】
2016116061.tif 000004
【図３】
2016116061.tif 000005
【図４】
2016116061.tif 000006
【図５】
2016116061.tif 000007
【図６】
2016116061.tif 000008
【図７】
2016116061.tif 000009
【図８】
2016116061.tif 000010
【図９】
2016116061.tif 000011
【図１０】
2016116061.tif 000012
【図１１】
2016116061.tif 000013
【図１２】
2016116061.tif 000014